(57)【要約】【課題】  ウェブページ閲覧機能を備えたテレビジョン受像機において、音声を適切に出力できるようにする。【解決手段】  外部ウェブサーバ１２３と通信が確立して、ブラウザ１１９によってウェブページが表示部１１０で表示されている状態において、音声出力部１１２から、ウェブページに含まれる音声情報に基づく音声を出力するか、あるいはチューナ１０３で受信された放送番組の音声を出力するか、あるいは内蔵記録媒体１１４の再生音声を出力するか、あるいはメモリカード１２６からの再生音声を出力するか切換え可能とする。さらに、放送番組の音声を出力している状態において、その音量を下げたり、音量を固定するようにして音声出力処理に制限を加えるように構成した。【選択図】  図１
2005295258.tif 000002
【特許請求の範囲】
【請求項１】
テレビジョン放送信号を受けて、少なくとも当該放送信号に含まれる音声信号を得る受信手段と、
表示手段と、
音声出力手段と、
通信手段によって外部ウェブサイトからウェブページの情報を取得して表示可能なブラウザ画面を構築すると共に当該ウェブページに含まれる音声情報を取得する情報取得手段と、
前記表示手段によって前記情報取得手段で構築されたブラウザ画像を表示すると共に、前記音出力手段で、当該表示されたブラウザ画像のウェブページに含まれる音声情報に基づく音声を出力するか、前記受信手段で受信された音声信号に基づく音声を出力するか切換える制御手段と、
を具備したことを特徴とするテレビジョン受像機。
【請求項２】
前記制御手段は、前記受信手段で受信された音声信号に基づく音声を前記音声出力手段によって出力する際に、当該音声の音量を抑制するものであることを特徴とする請求項１に記載のテレビジョン受像機。
【請求項３】
さらに、音声信号が記録された記録媒体から当該音声信号を再生する再生手段を備え、前記制御手段は、前記表示手段によって前記情報取得手段で構築されたブラウザ画像を表示すると共に、前記音出力手段で、当該表示されたブラウザ画像のウェブページに含まれる音声情報に基づく音声を出力するか、前記受信手段で受信された音声信号を出力するか、あるいは前記記録媒体から再生された音声信号を出力するか切換えるものであることを特徴とする請求項１または２に記載のテレビジョン受像機。
【請求項４】
さらに前記制御手段は、前記表示されたブラウザ画像のウェブページに音声情報が含まれていることを検出する手段を含み、音声情報が含まれていない場合に、前記受信手段で受信された音声信号に基づく音声を前記音声出力手段によって出力するように制御するものであることを特徴とする請求項１または２に記載のテレビジョン受像機。
【請求項５】
さらに前記制御手段は、前記表示されたブラウザ画像のウェブページに音声情報が含まれていることを検出する手段を含み、音声情報が含まれていない場合に、前記受信手段で受信された音声信号か前記記録媒体から再生された音声信号に基づく音声のいずれかを前記音声出力手段によって出力するように制御するものであることを特徴とする請求項３に記載のテレビジョン受像機。
【請求項６】
さらに前記制御手段は、前記ブラウザ画像に含まれる音声信号とは異なる音声信号に基づく音声を出力している際に、その音声信号源を示すメッセージを前記表示手段で表示するものであることを特徴とする請求項１乃至５のいずれかに記載のテレビジョン受像機。
【請求項７】
前記受信手段が受信した放送信号に含まれる映像信号を得る手段を含み、前記制御手段が前記表示手段によって、当該映像信号に基づく映像を表示させるか、あるいは前記ブラウザ画像を表示させるか、または前記映像信号に基づく映像と前記ブラウザ画像とを同時に表示させるか切換える手段を備えていることを特徴とする請求項１乃至６のいずれかに記載のテレビジョン受像機。
【発明の詳細な説明】
【技術分野】
【０００１】
本発明は、放送を受信して番組を視聴するためのテレビジョン受像機に関し、特に、インターネットを介して外部ウェブサイトにアクセスしてウェブページを画面表示させると共に、そのウェブページに含まれる音声情報を出力する機能を備えたテレビジョン受像機に関する。
【背景技術】
【０００２】
テレビジョン放送においては、放送形態がアナログからデジタルに移行しつつあり、それに伴って、放送番組の視聴も放送局から提供される情報をもっぱら受身の形で受ける形態から、視聴者が電話回線を介して放送局に対して応答を行なうことのできる双方向型の形態になりつつある。
【０００３】
一方で、一般家庭において、パソコンでインターネットを介して外部ウェブサイトにアクセスし、情報を画面表示させて閲覧を行なうということが広く普及してきている。
【０００４】
このように、デジタルテレビジョン放送番組の視聴と、インターネットのウェブページの閲覧は、異なる提示手段で行なわれており、放送番組を視聴する際には、テレビジョン受像機を使い、インターネットでアクセスする場合には、パソコンを使うという使い分けが行なわれているのが実状である。
【０００５】
しかしながら、それぞれの装置においは、表示手段を備える他、電話回線を使って外部と通信を行なう機能を備えており、あえて使い分けをせずに、例えばデジタルテレビジョン受像機に、さらにインターネットに接続してウェブページの閲覧を行なうためのブラウザを装備して、放送番組の視聴とインターネットの閲覧を１台のテレビジョン受像機で行なえるように構成すれば、使い勝手が向上することは明らかである。
【０００６】
このようなテレビジョン受像機におけるウェブページの閲覧形態としては、受像機の画面に、もっぱらブラウザ画像を表示するという形態の他に、テレビジョン放送番組の映像とブラウザ画像の両方を画面表示（二画面表示）させるような形態も可能である。
【０００７】
また、閲覧しようとするウェブページの中には、例えば表示画像に関連した音楽、あるいは音声メッセージ等の音声情報を提供するものもあり、それら音声情報をもテレビジョン受像機の例えばスピーカから出力させることが可能である。
【０００８】
また、全く音声情報を含まないウェブページも存在し、その場合には、映像と音声の両方を提示するというテレビジョン受像機の根本的な機能の一部を非動作状態にするという通常の使い方とは異なる使い方をするため、ユーザにとっては違和感を抱いたり、あるいは極端な場合、故障と誤認識してしまうというような事態にもなりかねない。
【０００９】
そこで、そのようなウェブページを閲覧する場合に、放送番組の音声を出力するようにしたり、あるいはメモリカード等のリムーバルな記録媒体に記憶された音楽等の音声データを読み出して出力するようにしたり、あるいはまた例えば放送番組を録画するためにテレビジョン受像機に設けられた記録媒体から再生した音声を出力するように構成すれば、ユーザに違和感を与えることを解消できるものと考えられるが、従来そのような音声に考慮を払った提案はなされていない。
【００１０】
さらに、ブラウザの画像を閲覧中に、放送番組の音声を出力するような使用形態を採る場合、表示された画像と音声が全く関連しないため、ユーザに違和感を与えることもある。例えば、放送番組が音楽番組であった場合には、演奏される音楽をＢＧＭ（BackGround Music）的に出力することに問題はないと思われるが、映像と言葉が絡む番組であった場合には、表示されるブラウザ画像とは全く関連しない言葉が出力されるため、ユーザは強い違和感を覚えることになり、音量を絞ったり、消音させる等して違和感を少しでも解消させる操作を行うことになる。
【００１１】
そこで、ブラウザの画像を閲覧中に放送番組の音声を出力させた際には、例えば音量を自動的に小さくする等の対策を採れば、使い勝手が向上すると思われるが、そのような提案も従来なされていない。
【００１２】
すなわち、従来、インターネット接続機能を組み込んでインターネットのウェブページの閲覧も行なうことができるようにしたテレビジョン受像機がいくつか提案されているが、その多くがインターネットの接続処理を開始してから接続が完了してブラウザ画像の閲覧を行えるようになるまでの期間に、インターネットの所定のウェブページへの接続処理中であることを機能的に報知して、ユーザがイライラするのを解消しようとする点にポイントを絞ったものであり、インターネットに接続してから音声情報の出力をいかに制御するかということに的を絞った提案はなされていない。
【００１３】
例えば、特許文献１には、インターネット接続処理中に、モデムのキャリア信号をスピーカから出力して、接続処理が実行されている途中であることを視聴者に知らしむるようにした提案が示されている。
【００１４】
すなわち、この特許文献１では、電話回線を用いてデジタルデータを送信する際に、キャリアを音によるキャリア信号に変換してテレビジョン放送の音声に重畳してスピーカから出力するようにしている。
【００１５】
さらにまた、特許文献２には、インターネットの接続処理中は、インターネット画面とテレビジョン映像とを同時に表示させ、インターネットの接続処理が終了したらインターネット画面のみを表示するようにした提案が示されている。また、この特許文献２には、インターネット画面とテレビジョン映像の表示切換えを時間で管理するという提案も開示され、さらに、インターネット接続処理中に、テレビジョン映像のみを表示させ、接続完了後に、インターネット画面表示に切換えるという提案も示されている。さらに、インターネット接続処理中に、接続処理中であることを示す表示を行なうことも開示されている。
【００１６】
以上のように特許文献１，２においては、インターネット閲覧機能を備えたテレビジョン受信機において、インターネットへの接続処理中であることの報知をユーザにいかに適切に行なって、使い勝手を向上させるかということに主眼を置いて提案が成されており、それなりの効果は期待できる。
【００１７】
しかしながら、両特許文献共、ブラウザ画像閲覧中に音声の出力をいかに制御するかという点については開示されておらず、音声情報を含まないブラウザ画像を閲覧中に音声を出力させて、テレビジョン受像機としての根本的機能を働かせて、ユーザに違和感を抱かせないようにすること、及びブラウザ画像閲覧中に放送番組の音声を出力させる際に、その音声出力を制御してユーザに違和感を抱かせないようにする等について全く開示されていない。
【特許文献１】特開平１０−１３６２７５号公報（第４〜６頁、図１，２）
【特許文献２】特開平１０−４２２０５号公報（第６，７頁、図１，５，６）
【発明の開示】
【発明が解決しようとする課題】
【００１８】
以上のように、従来、通信回線を介してインターネットのウェブサイトにアクセスしてウェブページを画面表示させる機能を備えたテレビジョン受像機において、インターネットへの接続が完了した後において音声出力をいかに制御するかという観点での提案がなされておらず、改善の余地があった。
【００１９】
本発明は、以上の点に鑑みてなされたものであり、ブラウザ画像閲覧中に、音声を適切にかつ機能的に出力させ得るようにしたテレビジョン受像機を提供することを目的とする。
【課題を解決するための手段】
【００２０】
本発明のテレビジョン受像機は、テレビジョン放送信号を受けて、少なくとも当該放送信号に含まれる音声信号を得る受信手段と、表示手段と、音声出力手段と、通信手段によって外部ウェブサイトからウェブページの情報を取得して表示可能なブラウザ画面を構築すると共に当該ウェブページに含まれる音声情報を取得する情報取得手段と、前記表示手段によって前記情報取得手段で構築されたブラウザ画像を表示すると共に、前記音出力手段で、当該表示されたブラウザ画像のウェブページに含まれる音声情報に基づく音声を出力するか、前記受信手段で受信された音声信号に基づく音声を出力するか切換える制御手段と、を具備したことを特徴とする。
【発明の効果】
【００２１】
本発明によれば、表示中のウェブページに音声情報が含まれていない場合に、放送番組あるいは記録媒体等の音声情報源からの音声を出力できるように構成し、さらにテレビジョン放送番組の音声を出力する場合には、その出力に制限を与えるようにしたので、違和感の少ないブラウザ閲覧状況を設定することが可能となるものである。
【発明を実施するための最良の形態】
【００２２】
以下、図面を参照しながら本発明のテレビジョン受像機の一実施の形態を詳細に説明する。  
図１は、本発明のテレビジョン受像機１００の一実施の形態を示す回路ブロック図である。図１において、１０１はアンテナであり、放送電波をキャッチして放送信号として導出する。アンテナ１０１からの放送信号は、アンテナ入力端子１０２を介してチューナ１０３に供給され、ここでチャンネルの選局が行なわれる。チューナ１０３で選局されたチャンネルの受信信号は復調部１０４に供給されて復調されて、さらに誤り訂正等の処理を施され、ＭＰＥＧ（Moving Picture Experts Group）２のＴＳ（Transport Stream）としてデマルチプレクサ１０５に供給される。
【００２３】
デマルチプレクサ１０５では、ＴＳを構成する各種パケットをパケット毎に分離抽出して出力する。例えば番組を構成するＰＥＳ（Packetized Elementary Stream）は、デコーダ１０６に供給されて、ここでデコードされる。ＰＥＳに含まれる映像パケットは例えばＭＰＥＧ２規格に基づいて復号されて、非圧縮のデジタル映像信号としてグラフィック処理部１０７に導出される。
【００２４】
グラフィック処理部１０７には、ＯＳＤ（On Screen Display）信号生成部１０８からのＯＳＤ信号も供給されており、デコーダ１０６からのデジタル映像信号に、ＯＳＤ信号生成部１０８で生成されるＯＳＤ信号を重畳して出力する。あるいは、グラフィック処理部１０７は、デコーダ１０６の出力と、ＯＳＤ信号生成部１０８の出力を択一的に切換えて出力するか、または両出力がそれぞれ画面の半分を構成するように組合わせて出力する。
【００２５】
グラフィック処理部１０７の出力は映像信号処理部１０９に供給され、ここで適宜処理が施された後、表示部１１０に供給されてその画面に表示される。
【００２６】
また、デコーダ１０６は、ＰＥＳに含まれる音声パケットもデコードして非圧縮のデジタル音声信号として音声信号処理部１１１に出力する。音声信号処理部１１１によって音声信号に適宜処理を施した後、スピーカ等で構成される音声出力部１１２から音声として出力する。音声信号処理部１１１は、デコーダからのデジタル音声信号と、後述するＨＴＭＬ（Hypertext Markup Language）の音声信号を択一的に切換え選択して出力する機能を有するが詳細は後述する。
【００２７】
さらにテレビジョン受像機１００は、放送番組を録画する機能を有しており、デマルチプレクサ１０５から出力されるＴＳそのもの、あるいは、所定の番組のＥＳ（Elementary Stream）を記録再生処理部１１３を介して記録媒体としてのＨＤＤ（Hard Disk Drive）１１４に記録させ、かつ記録されたＥＳを再生してデマルチプレクサ１０５を介してデコーダ１０６に送り、デコードした映像信号をグラフィック処理部１０７、映像信号出力部１０９を介して表示部で表示させ、かつデコードした音声信号を音声信号処理部１１１を介して音声出力部１１２から出力させることが可能である。
【００２８】
録画する番組としては、テレビジョン放送番組の他、音声を主体に構成される現行のラジオ放送的な放送番組であったり、あるいはデータ放送であってもよい。
【００２９】
以上のようにして、放送番組を受信してその視聴をしたり、録画した番組を再生して視聴することが可能となるが、実際の放送番組の視聴には、例えばチューナ１０３による選局チャンネルの特定等、テレビジョン受像機１００を構成する各部の動作、機能を調整する必要があり、また、放送番組の録画再生にも、記録再生処理部１１３の他、チューナ１０３、デマルチプレクサ１０５等を制御する必要があり、そのために制御部１１５が設けられている。
【００３０】
制御部１１５は、例えばＭＰＵ（Micro Processing Unit）で構成され、チューナ１０３のチャンネル切換え、デマルチプレクサ１０５のパケット分離抽出、デコーダ１０６の復号、グラフィック処理部１０７、ＯＳＤ信号生成部１０８、映像信号処理部１０９及び音声信号処理部１１１の制御、さらに記録再生処理部１１３の制御等を行なう。
【００３１】
このため、制御部１１５は、各種処理プログラムが格納されたＲＯＭ（Read Only Memory）１１６、ワークメモリとしてのＲＡＭ（Random Access Memory）１１７を内蔵し、さらに各種設定用のデータを保存するための不揮発性メモリ１１８が接続されている。
【００３２】
また、ＲＯＭ１１６には、ＨＴＭＬブラウザのプログラムが格納されており、制御部１１５では、後述する外部ウェブサイトから読み込んだウェブページのデータをそのブラウザプログラムに基づいて変換して、表示画面を構築し、それをＯＳＤ信号生成部１０８を介してグラフィック処理部１０７に導出する機能を有しており、制御部１１５の中にＨＴＭＬブラウザ１１９としてブロックで示している。
【００３３】
なお、ＨＴＭＬブラウザ１１９は、アクセスしたウェブページに含まれる音声情報を再生する機能も自らのアプリケーションの一部として具備しているか、あるいはＲＯＭ１１６に蓄積された専用アプリケーションを利用することで可能となるように構成されているものである。
【００３４】
ＲＯＭ１１６には、以上のような各種アプリケーションソフトの他、ＯＳＤ信号生成部１０８でＯＳＤ信号を生成するための、文字、記号、キャラクタ等のデータも保存されている。
【００３５】
さらに、制御部１１５には、通信Ｉ／Ｆ（Interface）１２０が、通信端子１２１との間に接続されており、この通信Ｉ／Ｆ１２０を介してインターネット１２２と接続されて、インターネット１２２に接続された外部ウェブサーバ１２３にアクセス可能となるように構成されている。通信Ｉ／Ｆ１２０は、例えばＴＣＰ／ＩＰ（Transmission Control Protocol/Internet Protocol）に準拠した通信機能を備えたモデムを含む。
【００３６】
さらに、制御部１１５には、カードＩ／Ｆ１２４が接続され、カードホルダ１２５に装着されたメモリカード１２６に記録された例えば静止画像データあるいは音声データを取り込むことが可能である。取り込まれた静止画像データあるいは音声データは、デコーダ１０６に供給して復号し、復号した映像信号を、グラフィック処理部１０７、映像信号処理部１０９を介して表示部１１０で表示し、音声信号については音声信号処理部１１１を介して音声出力部１１２から出力する。
【００３７】
さらに、制御部１１５には、赤外線受光部１２７と操作入力部１２８が接続されており、赤外線受光部１２７は、リモートコントローラ１２９からのリモコン信号を受けてこれを制御部１１５に導出する。また、操作入力部１２８は、テレビジョン受像機１００の例えば前面パネルに設けられた複数のスイッチで構成され、リモートコントローラ１２９と併せて、ユーザがテレビジョン受像機１００の機能の切換え、調整、動作設定等を行なう際に操作されるものである。
【００３８】
図２にリモートコントローラ１２９のキー配置の例を示す。図２に示すように、リモートコントローラ１２９は、地上波放送のチャンネル切換え、あるいは数字／文字データ入力時等に使用する数字キー２０１を有する。数字キー２０１は、１〜１２のキーで構成され、さらにそれらキーに対してかな文字とアルファベットが割り当てられている。例えば数字「１」が付されたキーは、あ行のかな（ひらがな、カタカナ）文字と、アルファベットのＡＢＣ及びその小文字が入力可能である。
【００３９】
さらにリモートコントローラ１２９は、画面上の項目を選択するためのカーソルキー２０２と、カーソル２０２で選択した項目を登録するための決定キー２０３を有し、さらに、チャンネルをアップ／ダウン選局するためのチャンネルアップ／ダウンキー２０４と、音量を増大させ、または減少させるための音量調整キー２０５と、受像機１００の電源をオン／オフするための電源キー２０６を有する。
【００４０】
さらにリモートコントローラ１２９は、通信Ｉ／Ｆ１２０を起動して外部ウェブサーバ１２３にアクセスすると共に、ＨＴＭＬブラウザ１１９を立ち上げるためのインターネットキー２０７と、処理を終了させる終了キー２０８と、表示画面を戻す際等に使用する戻るキー２０９と、テレビジョン受信映像を表示させるためのテレビキー２１０を備え、さらに各種機能を設定するためのメニューを画面表示させるためのメニューキー２１１と、二画面表示を制御するための二画面キー２１２と、音声を切換えるための音声切換キー２１３と、番組表（ＥＰＧ：Electronic Program Guide）を画面表示させるための番組表キー２１４と、メモリカード１２６から読み込んだ静止画像を表示させるための画面表示キー２１５を備える。
【００４１】
さらにリモートコントローラ１２９は、記録媒体１１４にデータを記録するための記録キー２１６、記録されたデータを再生するための再生キー２１７と記録あるいは再生動作を停止させるための停止キー２１８を備える。
【００４２】
以上のように構成されたテレビジョン受像機１００において、放送番組を視聴するには、ユーザは数字キー２０１を操作して直接チャンネル番号を入力するかあるいはチャンネルアップ／ダウンキー２０４を操作して所望のチャンネルの選局を実行させるべく、リモートコントローラ１２９からリモコン信号を赤外線受光部１２７を介して制御部１１５に送出する。
【００４３】
制御部１１５はそれを受けて、チューナ１０３に対して選局信号を導出し、所定のチャンネルの選局を実行させ、さらにそのチャンネルの受信信号のＰＥＳをデマルチプレクサ１０５で分離抽出させて、デコーダ１０６に導出させる。
【００４４】
デコーダ１０６で映像及び音声のＰＥＳを復号して、映像信号についてはグラフィック処理部１０７、映像信号処理部１０９を介して表示部１１０で表示させ、音声信号については音声信号処理部１１１を介して音声出力部１１２から音声として出力する。それによって、チューナ１０３で選局されたチャンネルで放送されている番組の視聴が行なわれる。
【００４５】
また、放送番組を記録するには、リモートコントローラ１２９の番組表キー２１４を操作することで、制御部１１５がデマルチプレクサ１０５を駆使して、テレビジョン放送に多重されているＳＩ（Service Information）からＥＰＧデータを分離して解析し、番組表を構築して、ＯＳＤ信号生成部１０８からグラフィック処理部１０７に出力して表示部１１０で表示させる。
【００４６】
ユーザは、リモートコントローラ１２９のカーソルキー２０２を操作して、表示された番組の中から、録画したい番組にカーソルを合せて決定キー２０３を操作することで、その番組の記録予約を行うことができる。予約した番組の記録は、例えば制御部１１５が予約した放送番組の放送時間になったら、チューナ１０３、復調部１０４、デマルチプレクサ１０５と記録再生制御部１１３を制御し、予約した番組を含むＴＳあるいはＥＳを記録媒体１１４に記録させる。
【００４７】
記録した番組の再生は、リモートコントローラ１２９の再生キー２１７を操作することで、制御部１１５が、記録再生処理部１１３を駆動して、記録媒体１１４から、そこに記録されているタイトルの一覧を読み出して、デマルチプレクサ１０５を介して取り込み、リストを構築して、ＯＳＤ信号生成部１０８、グラフィック処理部１０７、映像信号処理部１０９を介して表示部１１０に供給して表示させる。
【００４８】
ユーザは、表示されたリストから再生したいタイトルをリモートコントローラ１２９のカーソルキー２０２で選択し、決定キー２０３を操作することでそのタイトルを再生して視聴することができる。
【００４９】
また、メモリカード１２６に記録されたデータを再生するには、リモートコントローラ１２９の画面表示キー２１５を操作する。それによって、制御部１１５は、カードＩ／Ｆ１２４を駆使して、メモリカード１２６に記録されたデータを読み込み、静止画像データあるいは音声データのタイトルリストを構築して、ＯＳＤ信号生成部１０８に導出し、グラフィック処理部１０７、映像信号処理部１０９を介して表示部１１０で表示させる。
【００５０】
ユーザは、表示されたリストから表示したい画像あるいは、再生したい音声のタイトルをリモートコントローラ１２９のカーソルキー２０２と決定キー２０３で選択し、その画像データあるいは音声データをデコーダ１０６で復号して、表示部１１０で表示させるか、あるいは音声出力部１１２で出力する。
【００５１】
次に本発明に係るインターネットアクセスについて詳細に説明する。インターネットにアクセス場合、ユーザは、リモートコントローラ１２９のインターネットキー２０７を操作する。それによって、制御部１１５が、赤外線受光部１２７を介してリモコン信号を受け、通信Ｉ／Ｆ１２０を起動する。その結果、通信Ｉ／Ｆ１２０は、電話回線を介してインターネット１２２に接続し、ウェブサーバ１２３との間で通信を確立する。
【００５２】
さらに制御部１１５は、ＨＴＭＬブラウザ１１９を立ち上げ、ウェブサーバ１２３の予め登録されているＵＲＬ（Uniform Resource Locator）アドレスのウェブページ（ホーム）へのアクセス処理を行ない、そのページを構成するデータを取り込んで、ＲＡＭ１１５をワークエリアとしてブラウザ画面を構築する。
【００５３】
次に、構築したブラウザ画面を、ＯＳＤ信号生成部１０８を介して、グラフィック処理部１０７に導出し、映像信号処理部１０９から表示部１１０に供給して画面表示させる。
【００５４】
図３は、ブラウザ画面の表示例を示すものである。図に示すように、表示部１１０には、ブラウザ画面３０１が表示されている。また、他のウェブページを閲覧するには、リモートコントローラ１２９の数字キー２０１でＵＲＬアドレスを入力して決定キー２０３を操作することでそのページへのアクセスが実行され、画面に表示されるようになる。
【００５５】
あるいは、表示されているウェブページにリンク項目が存在する場合には、リモートコントローラ１２９のカーソルキー２０２を適宜操作して、そのリンク項目にカーソルを移動させ、決定キー２０３を操作することで、リンクページへのアクセスとそのウェブページの画面表示を実行させることが可能である。
【００５６】
さらに、ブラウザの制御項目を示すアイコンにカーソルを移動させて、決定キー２０３を操作することで、表示ページを戻したり、進めたり、更新させたり、ページ検索させたりすることも可能である。
【００５７】
また、リモートコントローラ１２９の終了キー２０８を操作すれば、制御部１１５は、通信Ｉ／Ｆ１２０を駆動してウェブサーバ１２３との通信状態を停止し、さらにインターネットＨＴＭＬブラウザ１１９を立ち下げる。その後、制御部１１５は例えば、チューナ１０３で受信している放送番組の映像が表示され、音声が出力されるように切換える。
【００５８】
図３に示すようにもっぱらブラウザ画像を画面表示している状態においては、制御部１１５は、音声信号処理部１１１をブラウザ画面の音声信号を出力するように切換えており、ウェブページに音声情報が含まれる場合には、それが制御部１１５から音声信号処理部１１１に導出され、音声出力部１１２から音声として出力される。あるいは、ブラウザ画面の音声信号が圧縮されている場合には、デコーダ１０６で復号からして音声信号処理部１１１を介して音声出力部１１２から出力される。
【００５９】
より具体的に説明すると、例えばＨＴＭＬのタグとして「ＢＧＳＯＵＮＤ」を用いた構文が記述されていた場合、そのページを表示させることで、構文で特定する音声ファイルを自動的に再生して出力させることが可能である。
【００６０】
表示されているウェブページに音声情報が含まれていない場合には、制御部１１５は、他の音声信号情報源からの音声信号を選択して、デコーダ１０６に供給し、復号させて音声信号処理部１１１を介して音声出力部１１２から出力させることが可能である。
【００６１】
例えば、制御部１１５は、チューナ１０３で受信しているチャンネルの放送番組の音声信号を音声出力部１１２から出力させたり、あるいは、記録媒体１１４に記録された番組の音声信号を音声出力部１１２から出力させたり、メモリーカード１２６に記録された音声データに基づく音声を音声出力部１１２から出力させる切換えを実行し得るように構成されている。
【００６２】
その切換えは、ユーザがリモートコントローラ１２９の音声切換キー２１３を操作することで、制御部１１５が実行するもので、音声切換キー２１３を操作する毎に、放送番組の音声、記録媒体１１４の再生音声及びメモリカード１２６からの再生音声に順次切換えるように構成することができる。
【００６３】
放送番組の音声を出力している状態において、制御部１１５は自動的にその音量を低下させたり、あるいは音量を固定してリモートコントローラ１２９の音量調整キー２０５による調整ができないように制御する。
【００６４】
さらに、放送番組の音声を出力する場合には、放送番組の音声を出力していることをユーザに知らしむるために、メッセージを画面表示するように構成することができるものである。
【００６５】
例えば、図４に示すように、表示部１１０の画面４０１に「現在、６チャンネルの放送番組の音声を出力しています」等のメッセージ４０２を表示するように構成することが可能である。
【００６６】
図４に示す状態から、リモートコントローラ１２９の音声切換キー２１３を操作すると、制御部１１５は、記録再生処理部１１３を駆動して、記録媒体（ＨＤＤ）１１４から所定のタイトルを再生して、その音声データをデマルチプレクサ１０５で抽出してデコーダ１０６で復号し、音声信号処理部１１１を介して音声出力部１１２から出力する。
【００６７】
記録媒体（ＨＤＤ）１１４からの再生音声を出力している場合、図５に示すように、表示部１１０の画面５０１に「現在、内蔵ＨＤＤから再生した音声を出力しています」等のメッセージ５０２を表示するように構成することが可能である。この場合、記録媒体１１４から再生するタイトルとしては、音楽番組等のタイトルが好ましく、リモートコントローラ１２９の音声切換キー２１３が操作された際に再生するタイトルを予め決定しておくことが可能である。
【００６８】
図５に示す状態から、リモートコントローラ１２９の音声切換キー２１３を操作すると、制御部１１５は、カードＩ／Ｆ１２４を駆動して、メモリカード１２６から所定のタイトルを再生して、その音声データをデコーダ１０６で復号し、音声信号処理部１１１を介して音声出力部１１２から出力する。
【００６９】
メモリカード１２６からの再生音声を出力している場合、図６に示すように、表示部１１０の画面６０１に「現在、メモリカードから再生した音声を出力しています」等のメッセージ６０２を表示するように構成することが可能である。この場合、メモリカード１２６から再生するタイトルとしては、音楽番組等のタイトルが好ましく、リモートコントローラ１２９の音声切換キー２１３が操作された際に再生するタイトルを予め決定しておくことが可能である。
【００７０】
図６の状態から、再び音声切換キー２１３を操作すると、音声はインターネットの表示されているウェブページに含まれる音声に切換えられるが、音声が含まれなければ、音声出力部１１２から音声は出力されない。
【００７１】
以上説明した、ウェブページを閲覧中における音声切換処理を図７のフローチャートを用いてさらに説明する。
【００７２】
図７において、ステップＳ７０１で開始され、ステップＳ７０２でＨＴＭＬブラウザ１１９を立ち上げて、ウェブサーバ１２３にアクセスする。次に、ステップＳ７０３でＵＲＬ（Uniform Resource Locator）を設定し、ステップＳ７０４でウェブページを表示部１１０で表示する。
【００７３】
次に、ステップＳ７０５でウェブページに含まれる音声情報に基づく音声を出力するように設定する。それによって、表示されたウェブページに音声が含まれれば、それが出力される。また、音声情報が含まれなければ音声は出力されない。
【００７４】
次に、ステップＳ７０６でリモートコントローラ１２９の音声切換キー２１３が操作されたか否かの判定がなされ、操作されなかったと判定されたら、ステップＳ７０７に移って、ＵＲＬが変更されたか否かが判定され、変更された場合にはステップＳ７０３に戻り、変更されなかったと判定された場合には、ステップＳ７０８に移って、リモートコントローラ１２９の終了キー２０８が操作されたか否かの判定がなされ、終了キー２０８が操作されなかったと判定された場合には、ステップＳ７０５に戻って音声出力を継続し、終了キー２０８が操作されたと判定された場合には、ステップＳ７０９で処理を終了する。
【００７５】
ステップＳ７０６で、音声切換キー２１３が操作されたと判定されたら、ステップＳ７１０に移って、音声出力として、チューナ１０３で受信された放送番組の音声が出力されるように切換える。ここにおいて、制御部１１５は、例えば、出力される音声の音量を低く抑えるように、音声信号処理部１１１を制御する。あるいは、音量を固定してリモートコントローラ１２９の音量調整キー２０５で制御できないように設定する。次いで、ステップＳ７１１に移って、図４に示すように表示部１１０の画面に、放送番組の音声を出力中である旨のメッセージを表示する。
【００７６】
次いで、ステップＳ７１２に移って、音声切換キー２１３が操作されたか否かの判定がなされ、音声切換キー２１３が操作されなかったと判定されたら、ステップＳ７１３に移って、アドレスが変更されたか否かの判定がなされ、アドレスが変更されたと判定されたら、ステップＳ７０３に戻る。
【００７７】
アドレスが変更されなかったと判定されたら、ステップＳ７１４で終了キー２０８が操作されたか否かの判定がなされ、終了キー２０８が操作されなかったと判定されたら、ステップＳ７１０に戻って放送番組の音声出力を継続する。終了キー２０８が操作されたと判定されたら、ステップＳ７０９で処理を終了する。
【００７８】
ステップＳ７１２で、音声切換キー２１３が操作されたと判定されたら、ステップＳ７１５に移って、音声出力を、記録媒体（ＨＤＤ）１１４から再生された音声に切換える。次いで、ステップＳ７１６で、図５に示すように表示部１１０の画面に、ＨＤＤから再生した音声を出力中である旨のメッセージを表示する。
【００７９】
次いで、ステップＳ７１７に移って、音声切換キー２１３が操作されたか否かの判定がなされ、音声切換キー２１３が操作されなかったと判定されたら、ステップＳ７１８に移って、アドレスが変更されたか否かの判定がなされ、アドレスが変更されたと判定されたら、ステップＳ７０３に戻る。
【００８０】
アドレスが変更されなかったと判定されたら、ステップＳ７１９で終了キー２０８が操作されたか否かの判定がなされ、終了キー２０８が操作されなかったと判定されたら、ステップＳ７１５に戻ってＨＤＤから再生された音声の出力を継続する。終了キー２０８が操作されたと判定されたら、ステップＳ７０９で処理を終了する。
【００８１】
ステップＳ７１７で、音声切換キー２１３が操作されたと判定されたら、ステップＳ７２０に移って、音声出力を、メモリカード１２６から再生された音声に切換える。次いで、ステップＳ７２１で、図６に示すように表示部１１０の画面に、メモリカード１２６から再生した音声を出力中である旨のメッセージを表示する。
【００８２】
次いで、ステップＳ７２２に移って、音声切換キー２１３が操作されたか否かの判定がなされ、音声切換キー２１３が操作されたと判定されたら、ステップＳ７０５に戻って、表示されたウェブページの音声情報を出力するように切換える。音声切換キー２１３が操作されなかったと判定されたら、ステップＳ７２３に移って、アドレスが変更されたか否かの判定がなされ、アドレスが変更されたと判定されたら、ステップＳ７０３に戻る。
【００８３】
アドレスが変更されなかったと判定されたら、ステップＳ７２４で終了キー２０８が操作されたか否かの判定がなされ、終了キー２０８が操作されなかったと判定されたら、ステップＳ７２０に戻ってメモリカード１２６から再生された音声の出力を継続する。終了キー２０８が操作されたと判定されたら、ステップＳ７０９で処理を終了する。
【００８４】
以上説明したように、本発明のテレビジョン受像機１００によれば、ブラウザ画像を閲覧している状況において、音声出力を、表示されたウェブページに含まれる音声情報の音声以外に、受信した放送番組の音声、また内蔵されている記録媒体１１４から再生された音声、あるいはメモリカード１２６から再生された音声を選択的に切換えて出力できるようにしたので、表示されているウェブページに音声情報が含まれていない状態であっても音声を出力することができ、映像のみの表示というテレビジョン受像機としてはイレギュラーな動作状態となるのを防止することができる。
【００８５】
また、音声として、受信した放送番組の音声を出力する際に、自動的にその音量を絞ったり、あるいは、ユーザが音量調整ができないように固定するように構成したので、放送によって提供されるサービス内容を損なうことなく、ウェブページ閲覧のＢＧＭとして利用することが可能になるものである。
【００８６】
なお、以上の説明では、ウェブページを閲覧すべく表示させた際に、そのページに音声情報が含まれていない場合、ユーザがリモートコントローラ１２９の音声切換キー２１３を操作することで、他の音声信号提供源からの音声を出力するように切換えるものとしたが、ウェブページに音声情報が含まれているか否かを検出して、含まれていなければ、自動的に他の音声信号源からの音声を出力すべく切換えるように構成することもできる。
【００８７】
表示されたウェブページに音声情報が含まれていない場合に、他の信号源からの音声出力に自動的に切換えるか、あるいはあくまでもユーザの操作によって切換えるように構成するかは、例えばテレビジョン受像機の初期設定で予め登録させておくことが可能である。
【００８８】
図８は、ウェブページ閲覧時に、音声出力を自動的に切換えるか否か設定するための画面表示の例を示すものであり、例えば、ユーザがリモートコントローラ１２９のメニューキー２１１を操作して、図示しない設定メニューの画面に入り、設定項目の１つとして選択することで表示される画面である。
【００８９】
すなわち、ユーザのリモートコントローラ１２９の操作を受け、制御部１１５がＯＳＤ信号生成部１０８を駆使して、ＧＵＩ（Graphical User Interface）形式の設定画像を構築して、これをグラフィック処理部１０７、映像信号処理部１０９を介して表示部１１０に送って表示させる。
【００９０】
ユーザは、リモートコントローラ１２９のカーソルキー２０２と決定キー２０３を使って設定登録を行う。図８において、設定項目として、ウェブページに音声情報が含まれていない場合に、他の音源からの音を自動出力するか否かと、音源を切換える場合に、順序を設定するか否か、及び順序を設定する場合のどの音源から開始してどのような順序で行うかが表示されており、図中斜線枠８０１で示すカーソルを設定したい内容に移動させて、決定キー２０３を操作することで設定が完了する。設定されたデータは、不揮発性メモリ１１８に記憶される。
【００９１】
図９は、ウェブページを表示した際に、音声情報が含まれていない場合に、自動的に他の音源の音声を出力するように設定した場合の動作を説明するフローチャートである。この実施態様においては、ウェブページに音声情報が含まれない場合に、まず放送番組の音声が出力され、次いで内蔵記録媒体（ＨＤＤ）１１４の再生音声、次にメモリカード１２６の再生音声の順に、出力順序が設定されてものである。
【００９２】
図９において、図７のフローチャートと異なる点は、図７のフローチャートにおけるウェブページの表示（ステップＳ７０４）処理とウェブページに含まれる音声情報の出力（ステップＳ７０５）処理の間に、ウェブページに音声情報が含まれているか否かの判定をうステップＳ９０５が新たに加えられ、さらに、メモリカードの再生音声を出力している状態で、音声切換キー２１３が操作された際に、ウェブページに音声情報が含まれるか否かの判定ステップ（Ｓ９０５）に戻るように処理される点が異なる。
【００９３】
すなわち、ステップＳ９０５でウェブページに音声情報が含まれているか否かの判定がなされ、含まれていると判定されたら、ステップＳ９０６でウェブページの音声情報に基づく音声を出力し、ウェブページに音声情報が含まれていないと判定されたら、ステップＳ９１１で放送番組の音声を出力するように切換える。
【００９４】
以降は、音声切換キー２１３が操作される毎に、内蔵記録媒体（ＨＤＤ）１１４の再生音声、メモリカード１２６の再生音声が出力されるように切換えられ、メモリカード１２６の再生音声が出力されている状態において、音声切換キー２１３が操作されたら、ウェブページに音声情報が含まれているか否かの判定処理（ステップＳ９０５）に戻る。
【００９５】
また、それぞれの音源からの音声が出力されている状態で、ＵＲＬが変更されたら、ステップＳ９０３に戻り、終了キー２０８が操作されたら、ステップＳ９１０で処理を終了し、音声切換キー２１３の操作がなく、アドレスも変更されず、終了キー２０８も操作されない状態では、現在出力されている音声の出力を継続する。
【００９６】
なお、この実施形態においても、放送番組の音声を出力する場合は、その音量を下げたり、音量調整ができないようにする等の制限を加えるものである。
【００９７】
この実施の形態によれば、閲覧しているウェブページに音声情報が含まれていなければ、他の音源からの音声が出力されるように自動的に切換えられるので、全く音声が出力されないというテレビジョン受像機としては異様な状態になることがないので、ユーザに違和感を与えることがない。
【００９８】
なお、以上説明した実施の形態では、表示部１１０に、もっぱらウェブページを表示した際に音声出力をいかに制御するかという点にポイントがおかれているが、他の実施の形態として放送番組の映像とウェブページを同時に表示部１１０で表示するいわゆる二画面表示の場合にも、本発明は適用できるものであり、ユーザがリモートコントローラ１２９の二画面キー２１２を操作すると、制御部１１５がそれを受けて、グラフィック処理部１０７を制御して、ＨＴＭＬブラウザ１１９の画像と、デコーダ１０６でデコードされた放送番組の映像を、表示部１１０の画面の半分づつに表示されるように処理を施して、映像信号処理部１０９を介して表示部１１０に送って表示させる。
【００９９】
図１０に、二画面表示の例を示す。すなわち、図１０に示すように、表示部１１０の画面１００１の左半分に、ウェブページ１００２が表示され、右半分に放送番組の映像１００３が表示され、それぞれの画像１００２，１００３に対して、インターネットの画像であるか、放送番組の映像であるかを示す表示１００４，１００５がされている。
【０１００】
図１０に示す表示形態においても、ウェブページに含まれる音声情報かあるいは、放送番組の音声信号を選択的に出力させるように構成することが可能である。図１０ではいずれの音声が出力されているかを示す音符マーク１００６がテレビ側に表示されており、放送番組の音声が出力されていることを示している。
【０１０１】
図１０に示す状態から、リモートコントローラ１２９の音声切換キー２１３を操作することで、出力される音声を切換えることが可能である。
【０１０２】
また、リモートコントローラ１２９二画面キー２１２をさらに操作すると、例えば、ウェブページの表示と、記録媒体１１４から再生した映像を表示させることができ、さらに二画面キー２１２を操作することで、ウェブページとメモリカード１２６から再生した静止画像を二画面表示させることも可能である。
【０１０３】
そのように二画面表示される画像の内容に応じて、切換え出力される音声の種類を特定するように構成することもできるし、全ての音源からの音声を順次出力するように構成してもよいものである。
【０１０４】
以上のように、本発明のテレビジョン受像機によれば、ウェブページを閲覧中に、そのウェブページに音声情報が含まれていなければ、放送番組の音声、あるいは、内蔵記録媒体またはメモリカードに記録されている音声を出力できるように構成し、さらに放送番組が出力されている状態において、その音量を下げたり、音量調整ができないように、その出力処理に制限を加えるように構成したので、使い勝手の良好なテレビジョン受像機を提供することができるものである。
【図面の簡単な説明】
【０１０５】
【図１】本発明に係るテレビジョン受像機の一実施の形態を示す回路ブロック図。
【図２】図１のテレビジョン受像機に適用されるリモートコントローラのキー配置の一例を示す図。
【図３】図１のテレビジョン受像機で表示されるブラウザ画像の一例を示す図。
【図４】図１のテレビジョン受像機の動作を説明するための図。
【図５】図１のテレビジョン受像機の動作を説明するための図。
【図６】図１のテレビジョン受像機の動作を説明するための図。
【図７】図１のテレビジョン受像機の動作を説明するためのフローチャート。
【図８】図１のテレビジョン受像機の他の実施の形態を説明するための図。
【図９】図８に示す実施の形態の動作を説明するためのフローチャート。
【図１０】図１のテレビジョン受像機のさらに他の実施の形態を説明するための図。
【符号の説明】
【０１０６】
１００…テレビジョン受像機
１０１…アンテナ
１０２…アンテナ入力端子
１０３…チューナ
１０４…復調部
１０５…デマルチプレクサ
１０６…デコーダ
１０７…グラフィック処理部
１０８… ＯＳＤ信号生成部
１０９…映像信号処理部
１１０…表示部
１１１…音声信号処理部
１１２…音声出力部
１１３…記録再生処理部
１１４…記録媒体（ＨＤＤ）
１１５…制御部
１１６…ＲＯＭ
１１７…ＲＡＭ
１１８…不揮発性メモリ
１１９…ＨＴＭＬブラウザ
１２０…通信Ｉ／Ｆ
１２１…通信端子
１２２…インターネット
１２３…ウェブサーバ
１２４…カードＩ／Ｆ
１２５…カードホルダ
１２６…メモリカード
１２７…赤外線受光部
１２８…操作入力部
１２９…リモートコントローラ
【図１】
2005295258.tif 000003
【図２】
2005295258.tif 000004
【図３】
2005295258.tif 000005
【図４】
2005295258.tif 000006
【図５】
2005295258.tif 000007
【図６】
2005295258.tif 000008
【図７】
2005295258.tif 000009
【図８】
2005295258.tif 000010
【図９】
2005295258.tif 000011
【図１０】
2005295258.tif 000012